(57)【要約】【課題】色相による色調整後の信号がノイズを強調してしまう問題を抑制する。【解決手段】画像信号の色空間をＲＧＢ色空間からＨＳＶ色空間に変換する変換部１１と、変換された画像信号の色相Ｈｉを調整するために、調整基準となる色相Ｈｓ、色相の調整量ΔＨ、及び色相の調整範囲Ｈｅを指定する指定部１５と、変換された画像信号の色相Ｈｉが調整基準となる色相Ｈｓを中心とした色相の調整範囲Ｈｅに含まれるか否かを判定する判定部１２と、色相の調整範囲Ｈｅに含まれると判定された場合、指定されたＨｓ及びΔＨから求まる色相で最大、指定されたＨｓ及びＨｅから求まる色相で最小となる補間係数Ｅを決定する決定部１４と、決定された補間係数Ｅに基づいて補間処理を行うことにより、変換された画像信号の色相Ｈｉを調整する調整部１３と、調整された画像信号の色空間をＨＳＶ色空間からＲＧＢ色空間に変換する変換部１６とを備える。【選択図】図１
2011101250.tif 000002
【特許請求の範囲】
【請求項１】
画像信号の色空間をＲＧＢ色空間から少なくとも色相が含まれる特定の色空間に変換する第１の変換部と、
前記第１の変換部により変換された画像信号の色相Ｈｉを調整するために、調整基準となる色相Ｈｓ、色相の調整量ΔＨ、及び色相の調整範囲Ｈｅを指定する指定部と、
前記第１の変換部により変換された画像信号の色相Ｈｉが調整基準となる色相Ｈｓを中心とした色相の調整範囲Ｈｅに含まれるか否かを判定する判定部と、
前記判定部により色相の調整範囲Ｈｅに含まれると判定された場合、前記指定部により指定されたＨｓ及びΔＨから求まる色相で最大、前記指定部により指定されたＨｓ及びＨｅから求まる色相で最小となる補間係数Ｅを決定する決定部と、
前記決定部により決定された補間係数Ｅに基づいて補間処理を行うことにより、前記第１の変換部により変換された画像信号の色相Ｈｉを調整する調整部と、
前記調整部により調整された画像信号の色空間を前記特定の色空間からＲＧＢ色空間に変換する第２の変換部と、
を備えたことを特徴とする色調整装置。
【請求項２】
前記決定部は、色相“Ｈｓ−ΔＨ”で最大、色相“Ｈｓ＋Ｈｅ” 及び“Ｈｓ−Ｈｅ”で最小となる補間係数Ｅを決定することを特徴とする請求項１記載の色調整装置。
【請求項３】
前記指定部は、予め設定された値を前記調整範囲Ｈｅとすることを特徴とする請求項１又は２記載の色調整装置。
【請求項４】
画像信号の色空間をＲＧＢ色空間から少なくとも色相が含まれる特定の色空間に変換する第１の変換ステップと、
前記第１の変換ステップで変換された画像信号の色相Ｈｉを調整するために、調整基準となる色相Ｈｓ、色相の調整量ΔＨ、及び色相の調整範囲Ｈｅを指定する指定ステップと、
前記第１の変換ステップで変換された画像信号の色相Ｈｉが調整基準となる色相Ｈｓを中心とした色相の調整範囲Ｈｅに含まれるか否かを判定する判定ステップと、
前記判定ステップで色相の調整範囲Ｈｅに含まれると判定された場合、前記指定ステップで指定されたＨｓ及びΔＨから求まる色相で最大、前記指定ステップで指定されたＨｓ及びＨｅから求まる色相で最小となる補間係数Ｅを決定する決定ステップと、
前記決定ステップで決定された補間係数Ｅに基づいて補間処理を行うことにより、前記第１の変換ステップで変換された画像信号の色相Ｈｉを調整する調整ステップと、
前記調整ステップで調整された画像信号の色空間を前記特定の色空間からＲＧＢ色空間に変換する第２の変換ステップと、
を備えたことを特徴とする色調整方法。
【発明の詳細な説明】
【技術分野】
【０００１】
本発明は、カラーの画像信号に対して色調整処理を行う色調整装置及び色調整方法に関し、特に、ＨＳＶ（Hue Saturation Brightness）色空間において色相による色調整処理を行う色調整装置及び色調整方法に関する。
【背景技術】
【０００２】
液晶モニターなどの表示装置において画像信号を表示する際、使用条件等に合わせて所望の色を再現するために色調整処理が行われる。ここで、色相、彩度、明度の３つの属性で表されるＨＳＶ色空間は、人間が色を知覚する方法と類似している。そのため、画像信号の色空間をＲＧＢ色空間からＨＳＶ色空間に変換し、ＨＳＶ色空間において色調整処理を行った後、元のＲＧＢ色空間に逆変換するのが一般的である。ＨＳＶ色空間における色調整処理としては、彩度による色調整処理が知られている。彩度信号は、ＲＧＢ三色の中の最大値をＭＡＸ、最小値をＭＩＮとすると、次式により算出することができる。
【数１】
2011101250.tif 000003
【０００３】
この算出式を用いると、低輝度のモノクロに近い画像信号に対して色調整処理を行う場合は、図１０に示すように、彩度信号Ｓが１と０を繰り返す現象が発生する。この現象により、彩度信号Ｓには、低輝度のモノクロに近い部分に存在するノイズが強調される問題があった。そこで、特許文献１には、低輝度のモノクロに近い画像信号については別の算出式を用いる手法が開示されている。これにより、彩度信号Ｓに発生するノイズが抑制され、よりきめ細かな色調整処理を行うことが可能となる。特許文献１に示すように、色調整処理においてノイズの抑制は非常に重要視されている。一方、特許文献２には、色相を調整することにより、ビジネス文書で重視されるホワイト〜代表色、代表色〜ブラックについて、色相の連続性を保ちつつ色変わりの目立たない色再現を実現する装置が開示されている。
【先行技術文献】
【特許文献】
【０００４】
【特許文献１】特開２００９−１７２２２号公報
【特許文献２】特開２００８−１１２９３号公報
【発明の概要】
【発明が解決しようとする課題】
【０００５】
しかしながら、特許文献２に開示されている手法によれば、調整後の信号がノイズを強調してしまう場合がある。以下、この問題を詳細に説明する。
【０００６】
まず、８ビット精度のＲＧＢの画像信号が入力されると、この画像信号の色空間はＲＧＢ色空間からＨＳＶ色空間に変換される。ＲＧＢ色空間からＨＳＶ色空間への変換式を〔数２〕に、その条件式を〔数３〕に示す。
【数２】
2011101250.tif 000004
【数３】
2011101250.tif 000005
【０００７】
ここで、ＲＧＢ色空間からＨＳＶ色空間に変換された後の画像信号を（Ｈｉ，Ｓｉ，Ｖｉ）とすると、調整基準となる色相Ｈｓを中心とした色相の調整範囲Ｈｅに色相Ｈｉが含まれるかどうか判断される。そして、調整範囲Ｈｅに含まれる場合は、図１１に示すように、色相Ｈｓ上で最大（１．０）、色相“Ｈｓ＋Ｈｅ”及び“Ｈｓ‐Ｈｅ”上で最小（０）となるように、補間係数Ｅが“Ｅ ＝ １−（｜Ｈｓ‐Ｈｉ｜／Ｈｅ）”により算出される。次いで、色相の調整量ΔＨを補間係数Ｅにより補間することで、調整後の色相Ｈ’が“Ｈ’＝ Ｈｉ ＋ ΔＨ×Ｅ”により算出される。例えば、色相Ｈｓが２４０°（青）である場合において（Ｒ，Ｇ，Ｂ）が（８０，６４，１９２）であるとき、色相Ｈｉは〔数２〕によれば約２４７°となるため、補間係数Ｅは“Ｅ ＝ １−（｜２４０−２４７｜／６０）＝ ０．８７５”となる。次いで、調整後の画像信号の色空間をＨＳＶ色空間からＲＧＢ色空間に変換する。このＨＳＶ色空間からＲＧＢ色空間への変換式を〔数４〕に、その条件式を〔数５〕に示す。
【数４】
2011101250.tif 000006
【数５】
2011101250.tif 000007
【０００８】
前記した通り、特許文献２に開示されている手法によれば、調整後の信号がノイズを強調してしまう場合がある。以下、この問題について具体例を挙げて説明する。
【０００９】
今、図１２に示すように、ＲＧＢのＲが一定割合で増加する信号であり、ＧとＢが一定値の信号であるグラデーション画像があるとする。図１２の縦軸は、８ビット精度のＲＧＢの数値を示し、図１２の横軸はグラデーション画像の画素位置０〜２５６を示している。Ｒの数値は、画素位置が一つ増加するごとに０から２５５までの範囲で１ずつ増加し、ＧとＢの数値は、一定値（Ｇ＝６４， Ｂ＝１９２）である。青の色相（２４０°）は、横軸では６４に該当し、縦軸のＲＧＢ数値で示すと（６４，６４，１９２）となる。マジェンダの色相（３００°）は、横軸では１９２に該当し、縦軸のＲＧＢ数値で示すと（１９２，６４，１９２）となる。
【００１０】
このグラデーション画像について、調整基準となる色相Ｈｓを青（２４０°）、調整量ΔＨを−３０°、色相の調整範囲Ｈｅを±６０°として色調整処理を行ったとする。この場合の調整後のグラデーション画像のＲＧＢ数値の推移を図１３に示す。図１３に矢印で示すように、調整後のＧｒｅｅｎ数値は横軸上の短い区間で急峻に変化する。ここでは、視感効率の最も低い青が最大値のグラデーション画像を想定しているため、Ｇｒｅｅｎ数値が急峻に変化した領域は、疑似的な輪郭（以下、疑似輪郭と呼ぶ）として顕著に見えてしまう。その結果、疑似輪郭部分にノイズが存在する場合は、人間の目で観察するとノイズが強調されて映ってしまう。
【００１１】
以下、この問題点を更に詳しく説明する。
【００１２】
図１４の縦軸は補正量Ｅ×ΔＨを示し、横軸は色相（１８０°：シアン，２４０°：青，３００°：マジェンダ）を示している。また、図１５は、図１３の横軸座標（Ｘ座標）とともに、調整基準となる色相Ｈｓ、補正量Ｅ×ΔＨ、調整後の色相Ｈ’、調整後のＧｒｅｅｎの出力値を示している。図１５に示すように、横軸上の短い区間（Ｘ座標６４〜１０７）で調整後のＧｒｅｅｎ数値が急峻に変化している。調整後のＧｒｅｅｎ数値が急峻に変化するのは、以下の〔数６〕とその条件式〔数７〕が関係している。
【数６】
2011101250.tif 000008
【数７】
2011101250.tif 000009
【００１３】
すなわち、〔数６〕及び〔数７〕によれば、Ｘ座標上の短い区間では明度Ｖと彩度Ｓは一定値で変化がないため、色相の変化Ｆの値のみが影響を与えることになる。その結果、色相による色調整処理を行うと、調整後の信号がノイズを強調してしまうのである。
【００１４】
本発明は上記課題を解決するためになされたものであり、その目的は、色相による色調整処理を行った場合でも調整後の信号がノイズを強調してしまう問題を抑制することのできる色調整装置及び色調整方法を提供することである。
【課題を解決するための手段】
【００１５】
本発明の実施の形態に係る第１の特徴は、色調整装置において、画像信号の色空間をＲＧＢ色空間から少なくとも色相が含まれる特定の色空間に変換する第１の変換部と、前記第１の変換部により変換された画像信号の色相Ｈｉを調整するために、調整基準となる色相Ｈｓ、色相の調整量ΔＨ、及び色相の調整範囲Ｈｅを指定する指定部と、前記第１の変換部により変換された画像信号の色相Ｈｉが調整基準となる色相Ｈｓを中心とした色相の調整範囲Ｈｅに含まれるか否かを判定する判定部と、前記判定部により色相の調整範囲Ｈｅに含まれると判定された場合、前記指定部により指定されたＨｓ及びΔＨから求まる色相で最大、前記指定部により指定されたＨｓ及びＨｅから求まる色相で最小となる補間係数Ｅを決定する決定部と、前記決定部により決定された補間係数Ｅに基づいて補間処理を行うことにより、前記第１の変換部により変換された画像信号の色相Ｈｉを調整する調整部と、前記調整部により調整された画像信号の色空間を前記特定の色空間からＲＧＢ色空間に変換する第２の変換部とを備えたことである。
【００１６】
本発明の実施の形態に係る第２の特徴は、前記第１の特徴を備えた色調整装置において、前記決定部が、色相“Ｈｓ−ΔＨ”で最大、色相“Ｈｓ＋Ｈｅ” 及び“Ｈｓ−Ｈｅ”で最小となる補間係数Ｅを決定することである。
【００１７】
本発明の実施の形態に係る第３の特徴は、前記第１又は第２の特徴を備えた色調整装置において、前記指定部が、予め設定された値を前記調整範囲Ｈｅとすることである。
【００１８】
本発明の実施の形態に係る第４の特徴は、色調整方法において、画像信号の色空間をＲＧＢ色空間から少なくとも色相が含まれる特定の色空間に変換する第１の変換ステップと、前記第１の変換ステップで変換された画像信号の色相Ｈｉを調整するために、調整基準となる色相Ｈｓ、色相の調整量ΔＨ、及び色相の調整範囲Ｈｅを指定する指定ステップと、前記第１の変換ステップで変換された画像信号の色相Ｈｉが調整基準となる色相Ｈｓを中心とした色相の調整範囲Ｈｅに含まれるか否かを判定する判定ステップと、前記判定ステップで色相の調整範囲Ｈｅに含まれると判定された場合、前記指定ステップで指定されたＨｓ及びΔＨから求まる色相で最大、前記指定ステップで指定されたＨｓ及びＨｅから求まる色相で最小となる補間係数Ｅを決定する決定ステップと、前記決定ステップで決定された補間係数Ｅに基づいて補間処理を行うことにより、前記第１の変換ステップで変換された画像信号の色相Ｈｉを調整する調整ステップと、前記調整ステップで調整された画像信号の色空間を前記特定の色空間からＲＧＢ色空間に変換する第２の変換ステップとを備えたことである。
【発明の効果】
【００１９】
本発明によれば、色相による色調整処理を行った場合でも調整後の信号がノイズを強調してしまう問題を抑制することのできる色調整装置及び色調整方法を提供することが可能である。
【図面の簡単な説明】
【００２０】
【図１】本発明の実施の形態における色調整装置のブロック図である。
【図２】本発明の実施の形態における色調整装置の動作を示すフローチャートである。
【図３】本発明の実施の形態における補間係数と色相の関係式を示す図である。
【図４】本発明の実施の形態における調整後のＲＧＢ数値の推移を示す図である。
【図５】本発明の実施の形態における補間処理を説明するための図である。
【図６】本発明の実施の形態における調整後のＧｒｅｅｎ数値の推移を示す図である。
【図７】本発明と従来技術との違いを説明するための図である。
【図８】本発明と従来技術との違いを説明するための図である。
【図９】本発明と従来技術との違いを説明するための図である。
【図１０】従来の彩度信号Ｓが１と０を繰り返す現象を示す図である。
【図１１】従来における補間係数と色相の関係式を示す図である。
【図１２】従来における調整前のＲＧＢ数値の推移を示す図である。
【図１３】従来における調整後のＲＧＢ数値の推移を示す図である。
【図１４】従来における補間処理を説明するための図である。
【図１５】従来における調整後のＧｒｅｅｎ数値の推移を示す図である。
【発明を実施するための形態】
【００２１】
以下、本発明の実施の形態について図面を参照して詳細に説明する。
【００２２】
図１は、本発明の実施の形態における色調整装置１０のブロック図である。この色調整装置１０は、色相による色調整処理を行う装置であって、図１に示すように、ＲＧＢ→ＨＳＶ変換部１１と、判定部１２と、調整部１３と、決定部１４と、指定部１５と、ＨＳＶ→ＲＧＢ変換部１６とを備えている。ＲＧＢ→ＨＳＶ変換部１１は、本発明に係る第１の変換部の一例であり、入力された画像信号の色空間をＲＧＢ色空間からＨＳＶ色空間に変換する。指定部１５は、ＲＧＢ→ＨＳＶ変換部１１により変換された画像信号の色相Ｈｉを調整するために、調整基準となる色相Ｈｓ、色相の調整量ΔＨ、及び色相の調整範囲Ｈｅを指定する。判定部１２は、ＲＧＢ→ＨＳＶ変換部１１により変換された画像信号の色相Ｈｉが調整基準となる色相Ｈｓを中心とした色相の調整範囲Ｈｅに含まれるか否かを判定する。決定部１４は、判定部１２により色相の調整範囲Ｈｅに含まれると判定された場合、色相“Ｈｓ−ΔＨ”で最大、色相“Ｈｓ＋Ｈｅ” 及び“Ｈｓ−Ｈｅ”で最小となる補間係数Ｅを決定する。調整部１３は、決定部１４により決定された補間係数Ｅに基づいて線形的な補間処理を行うことにより、ＲＧＢ→ＨＳＶ変換部１１により変換された画像信号の色相Ｈｉを調整する。ＨＳＶ→ＲＧＢ変換部１６は、本発明に係る第２の変換部の一例であり、調整部１３により調整された画像信号の色空間をＨＳＶ色空間からＲＧＢ色空間に変換して出力する。
【００２３】
図２は、本発明の実施の形態における色調整装置１０の動作を示すフローチャートである。以下、図２に従って色調整装置１０の構成をその動作とともに説明する。
【００２４】
まず、指定部１５は、調整基準となる色相Ｈｓ、色相の調整量ΔＨ、及び色相の調整範囲Ｈｅを指定する（ステップＳ１）。調整基準となる色相Ｈｓと色相の調整量ΔＨは、ユーザが指定部１５を用いて任意に指定することができる。例えば、緑が主体のグラデーション画像の色を少し青味の掛かった緑に変更したい場合、ユーザは、調整基準となる色相Ｈｓとして１２０°を指定するとともに、色相の調整量ΔＨとしてプラスの値を指定する。色相の調整範囲Ｈｅは、調整の影響が及ぶ色相の範囲を示している。ここでは、予め±６０°という値が色相の調整範囲Ｈｅとして設定されているものとする。これにより、色調整処理の度にユーザが色相の調整範囲Ｈｅを指定する手間を省くことができる。
【００２５】
次いで、画像信号が入力されると、ＲＧＢ→ＨＳＶ変換部１１は、入力された画像信号の色空間をＲＧＢ色空間からＨＳＶ色空間に変換する（ステップＳ２）。以下、ＲＧＢ色空間からＨＳＶ色空間に変換された後の画像信号を（Ｈｉ，Ｓｉ，Ｖｉ）と記載する。
【００２６】
次いで、判定部１２は、ＲＧＢ→ＨＳＶ変換部１１により変換された画像信号の色相Ｈｉが調整基準となる色相Ｈｓを中心とした色相の調整範囲Ｈｅに含まれるか否かを判定する（ステップＳ３）。具体的には、色相Ｈｉが〔数８〕の条件を満たす場合は調整範囲Ｈｅに含まれると判定し、色相Ｈｉが〔数８〕の条件を満たさない場合は調整範囲Ｈｅに含まれないと判定する。
【数８】
2011101250.tif 000010
【００２７】
次いで、決定部１４は、判定部１２により色相Ｈｉが調整範囲Ｈｅに含まれると判定された場合、色相“Ｈｓ−ΔＨ”で最大、色相“Ｈｓ＋Ｈｅ” 及び“Ｈｓ−Ｈｅ”で最小となる補間係数Ｅを決定し（ステップＳ３→Ｓ４）、判定部１２により色相Ｈｉが調整範囲Ｈｅに含まれないと判定された場合、補間係数Ｅを０に決定する（ステップＳ３→Ｓ５）。
【００２８】
次いで、調整部１３は、決定部１４により決定された補間係数Ｅに基づいて線形的な補間処理を行うことにより、ＲＧＢ→ＨＳＶ変換部１１により変換された画像信号の色相を調整する（ステップＳ６）。判定部１２により色相Ｈｉが調整範囲Ｈｅに含まれないと判定された場合（ステップ３：ＮＯ）は、補間係数Ｅが０となるため、実質的に補間処理が行われないことになるは言うまでもない。
【００２９】
最後に、ＨＳＶ→ＲＧＢ変換部１６は、調整部１３により調整された画像信号の色空間をＨＳＶ色空間からＲＧＢ色空間に変換して出力する（ステップＳ７）。
【００３０】
ここで、従来は、図１１に示すように、色相“Ｈｓ”で最大、色相“Ｈｓ＋Ｈｅ” 及び“Ｈｓ−Ｈｅ”で最小となる補間係数Ｅを〔数９〕により決定していた。この場合、色相の中心軸は、図１１に点線で示すように、色相Ｈｓの位置にあった。
【数９】
2011101250.tif 000011
【００３１】
それに対して、本発明では、図３に示すように、色相“Ｈｓ−ΔＨ”で最大、色相“Ｈｓ＋Ｈｅ” 及び“Ｈｓ−Ｈｅ”で最小となる補間係数Ｅを〔数１０〕により決定する。色相の調整量ΔＨが−３０°の場合、色相の中心軸は、図３に矢印で示すように、従来の位置（色相Ｈｓ）に比べて図面上で右方向に調整量ΔＨだけ移動することになる。逆に、色相の調整量ΔＨがプラスの回転角度が指定された場合、色相の中心軸は図面上で左方向に移動することになる。
【数１０】
2011101250.tif 000012
【００３２】
図４は、本発明の実施の形態における調整後のグラデーション画像のＲＧＢ数値の推移を示す図である。ここでは、従来技術の説明（図１２）で例示したグラデーション画像について、調整基準となる色相Ｈｓを青（２４０°）、調整量ΔＨを−３０°、色相の調整範囲Ｈｅを±６０°という同じ条件で色調整処理を行った場合を想定している。従来技術によれば、調整後のＧｒｅｅｎ数値が急峻に変化したのに対して、本発明によれば、図４に矢印で示すように、Ｇｒｅｅｎ数値の急峻な変化が緩和されていることが分かる。
【００３３】
図５は、本発明の実施の形態における補間処理を説明するための図である。ここでも、調整基準となる色相Ｈｓを青（２４０°）、調整量ΔＨ＝−３０°、色相の調整範囲Ｈｅを±６０°で色調整処理を行った場合を想定している。図５の縦軸は補正量Ｅ×ΔＨである。
【００３４】
図６は、本発明の実施の形態における調整後のＧｒｅｅｎ数値の推移を示す図である。本発明によれば、色相の中心軸を色相Ｈｓから調整量ΔＨだけ移動させているため、Ｇｒｅｅｎ数値の急峻な変化が緩和されて疑似輪郭が抑制される。そのため、調整後の信号がノイズを強調してしまう問題を抑制することが可能である。
【００３５】
以下、本発明と従来技術の違いをより具体的に説明する。ここでは、図７に示すように、ノイズが入った肌色が主体の画像信号に対して色調整処理を行う場合について説明する。この場合において、調整基準となる色相Ｈｓとして赤（０°）が指定され、色相の調整量ΔＨとして−３０°が指定されたものとする。
【００３６】
従来技術により色調整処理を行った場合は、図８（ａ）に示すような画像信号が出力される。一方、本発明により色調整処理を行った場合は、図８（ｂ）に示すような画像信号が出力される。これらの図に示すように、本発明によれば、青について大きな影響を与える結果となり、緑と赤についてはそれほど大きな影響を与えない結果となった。すなわち、図９は、本発明と従来技術による青の出力結果をまとめたグラフである。この図９に矢印で示すように、従来技術によれば、ノイズによる影響を受けて信号の変化が大きくなるのに対して、本発明によれば、ノイズによる影響が抑制されて信号の変化が小さくなった。
【００３７】
以上説明したように、本発明によれば、色相の中心軸を色相Ｈｓから調整量ΔＨだけ移動させているため、色相による色調整処理を行った場合に生じるＲＧＢ値の急峻な変化が緩和されて疑似輪郭が抑制される。そのため、調整後の信号がノイズを強調してしまう問題を抑制することが可能である。
【００３８】
なお、図７〜図９に示した具体例では、青について大きな影響を与える結果となったが、本発明はこれに限定されるものではない。すなわち、調整対象となる画像信号やその調整条件が変われば、赤又は緑について大きな影響を与えることもあり得る。
【００３９】
また、ここでは、ＨＳＶ色空間において色調整処理を行うこととしているが、本発明はこれに限定されるものではない。すなわち、色相（Hue）、彩度（Saturation）、輝度（Lightness/Luminance又はIntensity）の３つの属性で表されるＨＬＳ色空間等、少なくとも色相が含まれる特定の色空間において色調整処理を行う場合は、前記と同様の効果を得ることができる。
【００４０】
また、決定部１４は、色相“Ｈｓ−ΔＨ”で最大、色相“Ｈｓ＋Ｈｅ” 及び“Ｈｓ−Ｈｅ”で最小となる補間係数Ｅを決定することとしているが、本発明はこれに限定されるものではない。例えば、色相“Ｈｓ−ΔＨ”で最大となるのではなく、色相“Ｈｓ−ΔＨ±５°”の範囲内で最大となる補間係数Ｅを決定するようにしても、従来技術と比べれば有利な効果を得ることができる。言い換えると、Ｈｓ及びΔＨから求まる色相で最大、Ｈｓ及びＨｅから求まる色相で最小となる補間係数Ｅを決定する以上、本発明の効果を得ることができる。
【００４１】
また、調整基準となる色相Ｈｓと色相の調整量ΔＨはユーザが指定することとし、また、色相の調整範囲Ｈｅは予め設定されていることとしているが、本発明はこれに限定されるものではない。例えば、調整対象となる画像信号を解析することにより主体となる色相を自動的に判定し、このように判定した色相をＨｓとして指定することも可能である。また、色調整装置１０とは別の装置から受信した値を調整量ΔＨとして指定することも可能である。すなわち、色相Ｈｓ、調整量ΔＨ、及び調整範囲Ｈｅを指定する以上、その指定方法にかかわらず、前記と同様の効果を得ることができる。
【符号の説明】
【００４２】
１０…色調整装置
１１…ＲＧＢ→ＨＳＶ変換部
１２…判定部
１３…調整部
１４…決定部
１５…指定部
１６…ＨＳＶ→ＲＧＢ変換部
【図１】
2011101250.tif 000013
【図２】
2011101250.tif 000014
【図３】
2011101250.tif 000015
【図４】
2011101250.tif 000016
【図５】
2011101250.tif 000017
【図６】
2011101250.tif 000018
【図７】
2011101250.tif 000019
【図８】
2011101250.tif 000020
【図９】
2011101250.tif 000021
【図１０】
2011101250.tif 000022
【図１１】
2011101250.tif 000023
【図１２】
2011101250.tif 000024
【図１３】
2011101250.tif 000025
【図１４】
2011101250.tif 000026
【図１５】
2011101250.tif 000027